(57)【要約】【課題】屋根材の部分交換が可能で、かつ、屋根材同士の連結強度が高い横葺き屋根材とその横葺き屋根材により構築された屋根構造体の屋根材の部分交換方法を提案する。【解決手段】棟側ハゼ部を、起立壁と、該起立壁の上端部につながる顎部と、一端に該顎部の上端縁につながる側壁を有し他端に垂下壁を有する天壁と、該垂下壁の下端につながるベースとを備えたもので構成し、軒側ハゼ部を、板材本体の幅方向の一方の端縁に垂下保持される傾斜壁と、該傾斜壁の下端につながる顎部と、該顎部の底壁の端縁に垂下保持される舌片とを備えたもので構成する。【選択図】図１
2020128683.tif 000002
【特許請求の範囲】
【請求項１】
幅方向の端縁と長さ方向の端縁とによって区画された輪郭形状を有する板材本体を備え、該板材本体の幅方向の一方の端縁をその端縁に設けられた棟側ハゼ部を介して水上側に位置する他の横葺き屋根材の軒側ハゼ部に嵌合させるとともに、該幅方向のもう一方の端縁をその端縁に設けられた軒側ハゼ部を介して水下側に位置する他の横葺き屋根材の棟側ハゼ部に嵌合させることにより屋根構造体を構築する横葺き屋根材であって、
前記棟側ハゼ部は、前記板材本体の幅方向の一方の端縁につながる起立壁と、該起立壁の上端部につながり水上側に位置する他の横葺き屋根材の軒側ハゼ部に連係可能な顎部と、一端に該顎部の上端縁につながる側壁を有し他端に垂下壁を有する天壁と、該垂下壁の下端につながり該棟側ハゼ部を屋根の下地材にビスを介して固定するベースからなり、
前記軒側ハゼ部は、前記板材本体の幅方向のもう一方の端縁に垂下保持される傾斜壁と、該傾斜壁の下端につながり水下側に位置する他の横葺き屋根材の棟側ハゼ部に連係可能な顎部と、該顎部の底壁の端縁において垂下保持される舌片からなる、ことを特徴とする横葺き屋根材。
【請求項２】
前記起立壁は、前記板材本体の長さ方向に沿って伸延するとともに、水上側に位置する他の横葺屋根材の軒側ハゼ部との嵌合状態でその相互間にエアーポケットを形成する凹部を有する、ことを特徴とする請求項１に記載した横葺き屋根材。
【請求項３】
前記天壁は、前記板材本体の長さ方向に沿って伸延する少なくとも１本の凹所を有する、ことを特徴とする請求項１または２に記載した横葺き屋根材。
【請求項４】
前記ベースは、前記板材本体の長さ方向に沿って伸延する少なくとも１本のリブを有する、ことを特徴とする請求項１〜３のいずれか１項に記載した横葺き屋根材。
【請求項５】
前記板材本体は、長さ方向の一方の端縁に、軒方向に沿って隣接配置する別の横葺き屋根材の下継手に重ね合わさって屋根材同士を相互につなぎ合わせる上継手を有し、もう一方の端縁に、軒方向に沿って隣接配置する別の横葺き屋根材の上継手に重ね合わさって屋根材同士を相互につなぎ合わせる下継手を有し、
該下継手は、板材本体の幅方向に沿って伸延する少なくとも１本の溝部と、該溝部に隣接して設けられ、該板材本体の幅方向に沿って伸延するとともに該板材本体の外表面よりも低い頂面を有する陸部とを交互に配列した凹凸部からなり、
該上継手は、軒方向に沿って隣接配置する別の横葺き屋根材の下継手に重ね合わさった際に、該隣接配置する別の横葺き屋根材の板材本体の外表面と面一状態で配置される上継手本体と、該上継手本体の先端部につながり該隣接配置する別の横葺き屋根材の下継手の溝部に位置して化粧溝を形成する屈曲縁部からなることを特徴とする請求項１〜４のいずれか１項に記載した横葺き屋根材。
【請求項６】
請求項１〜５のいずれか１項に記載した横葺き屋根材を用いて構築された屋根構造体につき、その屋根構造体の任意の位置の屋根材を部分交換するに当たり、
まず、交換すべき横葺き屋根材の板材本体の軒側ハゼ部の、水下側に位置する他の横葺き屋根材の棟側ハゼ部との嵌合を解除するとともに、その棟側ハゼ部の、水上側に位置する他の横葺き屋根材の軒側ハゼ部との嵌合を解除して前記ビスを取り外すことにより交換すべき横葺き屋根材を撤去し、
次いで、撤去した部位に新規な横葺き屋根材を配置してその板材本体の棟側ハゼ部のベースをビスを介して該下地材に固定したのち、該新規な横葺き屋根材の板材本体の軒側ハゼ部を水下側に位置する他の横葺き屋根材の棟側ハゼ部に嵌合させるとともに、その棟側ハゼ部に水上側に位置する他の横葺き屋根材の軒側ハゼ部を嵌合させることを特徴とする横葺き屋根材にて構築された屋根構造体における屋根材の部分交換方法。
【請求項７】
交換すべき横葺き屋根材の板材本体の軒側ハゼ部の、水下側に位置する他の横葺き屋根材の棟側ハゼ部との嵌合の解除およびその棟側ハゼ部の、水上側に位置する他の横葺き屋根材の軒側ハゼ部との嵌合の解除を、Ｌ字形状をなす取り外し用治具を用い梃子の原理を利用して行うことを特徴とする請求項６に記載した横葺き屋根材にて構築された屋根構造体における屋根材の部分交換方法。
【発明の詳細な説明】
【技術分野】
【０００１】
本発明は、横葺き屋根材およびその横葺き屋根材にて構築された屋根構造体における屋根材の部分交換方法に関するものである。
【背景技術】
【０００２】
横葺き屋根と呼ばれる屋根構造体は、長さ方向の寸法（桁行方向の寸法）が幅方向の寸法（梁間方向の寸法）よりも長い板状本体を備えた屋根板材を使用し、桁行方向において屋根板材同士を接続する作業を先行して行い、その接続作業が完了したならば梁間方向において屋根板材同士を接続する作業をそれぞれ棟に至るまで交互に行うことによって構築されるものである。
【０００３】
かかる屋根構造体に使用される屋根板材は、通常、特許文献１に見られるように、板材本体の幅方向の水上側の端縁に下ハゼを設け、該板材本体の幅方向の水下側の端縁に上ハゼを設け、該下ハゼを水上側に位置する他の屋根板材の上ハゼに嵌合させるとともに、該上ハゼを水下側に位置する他の屋根板材の下ハゼに嵌合させて屋根板材同士を軒から棟に向けて連結して屋根構造体を構築している。
【０００４】
ところで、この種の屋根板材は、とくに下ハゼが軒側に向けて大きく迫り出したオーバーハング形状を呈しており、例えば、屋根構造体の構築が完了した後において屋根板材の一部分に疵や凹みなどの外観不良が発見され、その部位の屋根板材の交換を行うべく、屋根板材の下ハゼ、上ハゼとの嵌合を解除しようとしてもその解除が容易でなく、上ハゼと下ハゼとの嵌合を解除するためには、交換すべき屋根板材の水上側に位置する屋根板材を下地材から一旦取り外して軒側に向けてスライドさせる必要があることから、交換対象となる屋根板材よりも後に取り付けられた屋根板材を全て取り外したのちでなければ屋根板材の交換は困難であり、屋根板材の効率的な部分交換を実施することができないのが現状であった。
【先行技術文献】
【特許文献】
【０００５】
【特許文献１】実用新案登録第３０４９５８４号公報
【発明の概要】
【発明が解決しようとする課題】
【０００６】
本発明の課題は、屋根構造体の構築が完了したのちにおいて屋根板材の一部分に外観不良が発見された場合であっても、他の屋根板材を取り外すことなしに外観不良を起こした屋根板材のみを交換することが可能で、かつ、屋根板材同士の連結強度が高い横葺き屋根材およびその横葺き屋根材にて構築された屋根構造体における屋根材の部分交換方法を提案するところにある。
【課題を解決するための手段】
【０００７】
本発明は、幅方向の端縁と長さ方向の端縁とによって区画された輪郭形状を有する板材本体を備え、該板材本体の幅方向の一方の端縁をその端縁に設けられた棟側ハゼ部を介して水上側に位置する他の横葺き屋根材の軒側ハゼ部に嵌合させるとともに、該幅方向のもう一方の端縁をその端縁に設けられた軒側ハゼ部を介して水下側に位置する他の横葺き屋根材の棟側ハゼ部に嵌合させることにより屋根構造体を構築する横葺き屋根材であって、前記棟側ハゼ部は、前記板材本体の幅方向の一方の端縁につながる起立壁と、該起立壁の上端部につながり水上側に位置する他の横葺き屋根材の軒側ハゼ部に連係可能な顎部と、一端に該顎部の上端縁につながる側壁を有し他端に垂下壁を有する天壁と、該垂下壁の下端につながり該棟側ハゼ部を屋根の下地材にビスを介して固定するベースからなり、前記軒側ハゼ部は、前記板材本体の幅方向のもう一方の端縁に垂下保持される傾斜壁と、該傾斜壁の下端につながり水下側に位置する他の横葺き屋根材の棟側ハゼ部に連係可能な顎部と、該顎部の底壁の端縁において垂下保持される舌片からなる、ことを特徴とする横葺き屋根材である。
【０００８】
上記の構成からなる横葺き屋根材において、前記起立壁は、前記板材本体の長さ方向に沿って伸延するとともに、水上側に位置する他の横葺屋根材の軒側ハゼ部との嵌合状態でその相互間にエアーポケットを形成する凹部を有するのが好ましい。
【０００９】
また、上記の構成からなる横葺き屋根材において、前記天壁は、前記板材本体の長さ方向に沿って伸延する少なくとも１本の凹所を有し、前記ベースは、前記板材本体の長さ方向に沿って伸延する少なくとも１本のリブを有するのが望ましい。
【００１０】
さらに、本発明は、前記板状本体の長さ方向の一方の端縁に、軒方向に沿って隣接配置する別の横葺き屋根材の下継手に重ね合わさって屋根材同士を相互につなぎ合わせる上継手を有し、もう一方の端縁に、軒方向に沿って隣接配置する別の横葺き屋根材の上継手に重ね合わさって屋根材同士を相互につなぎ合わせる下継手を有し、該下継手は、板材本体の幅方向に沿って伸延する少なくとも１本の溝部と、該溝部に隣接して設けられ、該板材本体の幅方向に沿って伸延するとともに該板材本体の外表面よりも低い頂面を有する陸部とを交互に配列した凹凸部からなり、該上継手は、軒方向に沿って隣接配置する別の横葺き屋根材の下継手に重ね合わさった際に、該隣接配置する別の横葺き屋根材の板材本体の外表面と面一状態で配置される上継手本体と、該上継手本体の先端部につながり該隣接配置する別の横葺き屋根材の下継手の溝部に位置して化粧溝を形成する屈曲縁部からなることで構成することができる。
【００１１】
また、本発明は、上記の構成からなる横葺き屋根材を用いて構築された屋根構造体につき、その屋根構造体の任意の位置の屋根材を部分交換するに当たり、まず、交換すべき横葺き屋根材の板材本体の軒側ハゼ部の、水下側に位置する他の横葺き屋根材の棟側ハゼ部との嵌合を解除するとともに、その棟側ハゼ部の、水上側に位置する他の横葺き屋根材の軒側ハゼ部との嵌合を解除して前記ビスを取り外すことにより交換すべき横葺き屋根材を撤去し、次いで、撤去した部位に新規な横葺き屋根材を配置してその板材本体の棟側ハゼ部のベースをビスを介して該下地材に固定したのち、該新規な横葺き屋根材の板材本体の軒側ハゼ部を水下側に位置する他の横葺き屋根材の棟側ハゼ部に嵌合させるとともに、その棟側ハゼ部に水上側に位置する他の横葺き屋根材の軒側ハゼ部を嵌合させることを特徴とする横葺き屋根材にて構築された屋根構造体における屋根材の部分交換方法であり、交換すべき横葺き屋根材の板材本体の軒側ハゼ部の、水下側に位置する他の横葺き屋根材の棟側ハゼ部との嵌合の解除およびその棟側ハゼ部の、水上側に位置する他の横葺き屋根材の軒側ハゼ部との嵌合の解除を、Ｌ字形状をなす取り外し用治具を用い梃子の原理を利用して行うのが望ましい。
【発明の効果】
【００１２】
本発明の横葺き屋根材は、板材本体の軒側ハゼ部の顎部を、水下側に位置する他の横葺き屋根材の棟側ハゼ部から引き離し（非連係状態とすること）、該板材本体の棟側ハゼ部の顎部を、水上側に位置する他の横葺き屋根材の軒側ハゼ部から引き離す（非連係状態とすること）だけで、それらの部位における嵌合を解除することが可能であり、交換したい部分のみの横葺き屋根材を取り外すことができ、逆に、板材本体の軒側ハゼ部の顎部を、水下側に位置する他の横葺き屋根材の棟側ハゼ部に連係させ、該板材本体の棟側ハゼ部の顎部を、水上側に位置する他の横葺き屋根材の軒側ハゼ部に連係させるだけで横葺き屋根材を取り付けることができ、屋根材の部分交換を簡単に行い得る。
【００１３】
また、本発明の横葺き屋根材は、棟側ハゼ部の起立壁における凹部、天壁の凹所によってエアーポケットが形成されるため、嵌合部位での浸透圧現象による雨水等の吸い込みを回避することが可能であり、止水性を高めることができる。
【００１４】
また、本発明の横葺き屋根材は、吊子などを必要としないことから、屋根構造体を構築する際に使用する構成部材が少なくて済む。
【００１５】
さらに、本発明の横葺き屋根材は、上継手の屈曲縁部が軒方向に隣接配置する別の横葺き屋根材の下継手の溝部に位置してその部位に化粧溝を形成するため、この化粧溝が屋根の美観を改善するのに有用なアクセントとなるとともに、屋根材の重ね合わせ部のスタート部位には隣接配置する別の横葺き屋根材の下継手の陸部が位置することから該陸部が雨水等の浸入をブロックすることができる。また、化粧溝により、屋根の葺きあげ施工時に施工誤差が生じたとしても化粧溝幅の範囲内で施工誤差を微調整することが可能となる。
【図面の簡単な説明】
【００１６】
【図１】本発明にしたがう横葺き屋根材の実施の形態を模式的に示した外観斜視図である。
【図２】本発明にしたがう横葺き屋根材を下地材に取り付けた状態を側面で示した図である。
【図３】本発明にしたがう横葺き屋根材を用いて屋根構造体を構築する要領を示した図である。
【図４】本発明にしたがう横葺き屋根材を用いて構築された屋根構造体の一部分を示した外観斜視図である。
【図５】（ａ）（ｂ）は、本発明にしたがう横葺き屋根材の取り外し要領の説明図である。
【図６】本発明にしたがう横葺き屋根材の取り外し要領の説明図である。
【図７】本発明にしたがう横葺き屋根材の取り外し用治具を示した図である。
【図８】本発明にしたがう横葺き屋根材の嵌合部分を拡大して示した図である。
【図９】本発明に係る部分交換方法の他の実施形態において用いる新設屋根材（ａ）、切断撤去部分１ｔを除去した状態の横葺き屋根材（ｂ）および切断除去する棟側ハゼ部の遊端部分（ｃ）を示す略線図である。
【図１０】本発明に係る部分交換方法の他の実施形態において用いる新設屋根材の部分交換方法を説明するための断面図である。
【図１１】本発明に係る部分交換方法の他の実施形態において用いるカバークランプ材の斜視図（ａ）と部分交換後の状態を示す断面図（ｂ）である。
【図１２】本発明にしたがう横葺き屋根材の他の実施形態を示した外観斜視図である。
【図１３】本発明にしたがう横葺き屋根材の他の実施形態を示した外観斜視図である。
【図１４】（ａ）は、図１２、１３に示した横葺き屋根材の平面を示した図であり、（ｂ）は図１２、１３に示した横葺き屋根材の正面を示した図である。
【図１５】（ａ）は、図１４（ａ）のＡ−Ａ断面を示した図であり、（ｂ）は、図１４（ａ）のＢ−Ｂ断面を示した図であり、（ｃ）は、図１４（ａ）のＣ−Ｃ断面を示した図である。
【図１６】本発明にしたがう横葺き屋根材の上継手、下継手を軒方向に隣接配置する別の横葺き屋根材の下継手、上継手に重ね合わせる直前の状態を示した外観斜視図である。
【図１７】本発明にしたがう横葺き屋根材の上継手、下継手を、軒方向に隣接配置する別の横葺き屋根材の下継手、上継手に重ね合わせた状態を示した外観斜視図である。
【図１８】屋根材のつなぎ合わせ部分の要部断面を示した図である。
【発明を実施するための形態】
【００１７】
以下、図面を参照して、本発明をより具体的に説明する。
図１は、本発明にしたがう横葺き屋根材の実施の形態を模式的に示した外観斜視図である。本発明にしたがう横葺き屋根材は、長さ方向の寸法は任意（フリー）で、幅方向の寸法が１８０〜４００ｍｍ程度、厚さ０．３５〜０．８ｍｍ程度の、例えば、溶融亜鉛めっき鋼板やカラー鋼板等の防錆処理鋼板、ステンレス鋼板、銅板、アルミニウム合金板、亜鉛板等からなるものが用いられ、ロール成形法やプレス成形法等を適用して所定の断面形状へと成形されるものである。なお、本発明において、水上側に位置する他の横葺き屋根材、水下側に位置する他の横葺き屋根材、軒方向に沿って隣接配置する別の屋根材とは、本発明にしたがう横葺き屋根材と同じ構成からなるものをいうものとする。
【００１８】
図１における符号１は、横葺き屋根材の板材本体である。板材本体１は、長さ方向の端縁１ａ、１ｂと幅方向の端縁１ｃ、１ｄとによって区画された輪郭形状を有するものからなっている。
【００１９】
また、符号２は、板材本体１の幅方向の一方の端縁１ｃに設けられた棟側ハゼ部、３は、板材本体１の幅方向のもう一方の端縁１ｄに設けられた軒側ハゼ部、４は、板材本体１の裏面に貼着された断熱材である。断熱材４は、横葺き屋根材を取り付ける際に板材本体１と下地材の間に配置されるものであってもよく、板材本体１の座屈を防止する機能を兼ね備えているものが用いられる。
【００２０】
図２は、本発明にしたがう横葺き屋根材を、屋根の下地材（野地板）に取り付けた状態を側面について示した図である。本発明にしたがう横葺き屋根材は、板材本体１の幅方向の一方の端縁１ｃをその端縁１ｃに設けられた棟側ハゼ部２を介して水上側に位置する他の横葺き屋根材の板材本体１′の軒側ハゼ部３′に嵌合せるとともに、幅方向のもう一方の端縁１ｄをその端縁１ｄに設けられた軒側ハゼ部３を介して水下側に位置する他の横葺き屋根材の板材本体１′′の棟側ハゼ部２′′に嵌合させることにより取り付けられるものである。なお、ここでは、３枚の横葺き屋根材を軒から棟に向けてつなぎ合わせたものを例として示したが、屋根構造体を構築するに当たっては、軒先から棟に至るまで同様の要領で横葺き屋根材が取り付けられることになる。
【００２１】
板材本体１に設けられた棟側ハゼ部２は、具体的には、板材本体１の幅方向の一方の端縁１ｃにつながる起立壁２ａと、該起立壁２ａ上端部につながり水上側に位置する他の横葺き屋根材の板材本体１′の軒側ハゼ部３′に連係可能な顎部２ｂと、一端が顎部２ｂにつながる側壁２ｃを有し他端に垂下壁２ｄを有する天壁２ｅと、垂下壁２ｄの下端につながり棟側ハゼ部２を屋根の下地材にビス２ｆを介して固定するベース２ｇからなるものが適用される。
【００２２】
起立壁２ａには、板材本体１の長さ方向に沿って伸延する凹部２ａ１を設けることができ、また、天壁２ｅには、板材本体１の長さ方向に沿って伸延する凹所２ｅ１を設けることができ、他の横葺き屋根材の板材本体１′の軒側ハゼ部３′との嵌合状態でその相互間にエアーポケットを形成することにより浸透圧現象による雨水の吸い込みを回避することができるようになっている。また、ベース２ｇの、垂下壁２ｄとビス２ｆの取り付け部との間には、補強と雨水の浸入を防止する観点から、板材本体１の長さ方向に沿って伸延するリブ２ｇ１を設けてもよい。
【００２３】
板材本体１の棟側ハゼ部２は、顎部２ｂが、水上側に位置する他の横葺き屋根材の板材本体１′の軒側ハゼ部３′、とくにその顎部３ｂ′に連係するため、棟側ハゼ部２が軒側ハゼ部３′に嵌合している状態では、屋根材同士が強固に連結されることになり、板材本体１に負圧が作用してもその連結が簡単に解除されることはない。
【００２４】
また、軒側ハゼ部３としては、板材本体１の幅方向のもう一方の端縁１ｄに垂下保持される傾斜壁３ａと、該傾斜壁３ａの下端につながり水下側に位置する他の横葺き屋根材の棟側ハゼ部２′′に連係可能な顎部３ｂと、該顎部３ｂの底壁３ｂ１の端縁において垂下保持される舌片３ｃからなるものが適用される。
【００２５】
上記軒側ハゼ部３は、それそのものの弾性変形によるスプリングバックを伴って水下側に位置する他の横葺き屋根材の板材本体１′′の棟側ハゼ部２′′に嵌合するものであって、嵌合状態では、顎部３ｂが水下側に位置する他の横葺き屋根材の板材本体１′′の棟側ハゼ部２′′の顎部２ｂ′′に連係するため、屋根材同士が強固に連結されることになり、板材本体１に負圧が作用してもその連結が簡単に解除されることはない。
【００２６】
本発明にしたがう横葺き屋根材を用いて屋根構造体を構築するには、軒先の下地材に棟側ハゼ部２と同一形状からなる役物（軒先スタータ）を取り付け、この役物に本発明と同じ構成からなる他の横葺き屋根材の板材本体１′′の軒側ハゼ部３′′を嵌合させる（図示せず）とともに、板材本体１′′の棟側ハゼ部２′′のベース２ｇ′′にビス２ｆ′′をねじ込んで下地材に固定する。
【００２７】
そして、さらに、図３に示すように、既に固定された他の横葺き屋根材の板材本体１′′（この横葺き屋根材は、水下側に位置する横葺き屋根材）の水上側に横葺き屋根材を配置しこの横葺き屋根材の板材本体１の軒側ハゼ部３を水下側に位置する他の横葺き屋根材の棟側ハゼ部２′′に嵌合させるとともに棟側ハゼ部２のベース２ｇにビス２ｆをねじ込んで下地材に固定し、この作業を棟に至るまで繰り返せばよい。
【００２８】
なお、横葺き屋根材を用いて屋根構造体を構築する場合、屋根材同士のつなぎ合わせ作業は、横葺き屋根材の板材本体１の長さ方向で先行して行うことが前提となる。図４に、本発明にしたがう横葺き屋根材を用いて構築された屋根構造体の一部分の外観斜視図を示す。
【００２９】
本発明にしたがう横葺き屋根材にて構築された屋根構造体につき、横葺き屋根材の部分交換を行うには、基本的には、図５（ａ）（ｂ）、図６に示すように、交換すべき横葺き屋根材の板材本体１の軒側ハゼ部３の、水下側に位置する他の横葺き屋根材の棟側ハゼ部２′′との嵌合およびその棟側ハゼ部２の、水上側に位置する他の横葺き屋根材の軒側ハゼ部３′との嵌合を解除し、ベース２ｇを通してねじ込まれたビス２ｆを取り外して交換すべき横葺き屋根材を撤去する。そして、撤去した部位に新規な横葺き屋根材を配置して上掲図３に示したところと同様の要領で新規な横葺き屋根材を取り付ければよい。
【００３０】
交換すべき横葺き屋根材の板材本体１の軒側ハゼ部３の、水下側に位置する他の横葺き屋根材の棟側ハゼ部２′′との嵌合よびその棟側ハゼ部２の、水上側に位置する他の横葺き屋根材の軒側ハゼ部３′との嵌合をそれぞれ解除するには、図７に示すようなＬ字形状をなす取り外し用治具ｇを用い梃子の原理を利用して行うことができる。
【００３１】
本発明にしたがう横葺き屋根材は、屋根材同士がつなぎ合わさった状態では連結強度は高いが、板材本体１の軒側ハゼ部３の、水下側に位置する他の横葺き屋根材の棟側ハゼ部２′′との嵌合、棟側ハゼ部２の、水上側に位置する他の横葺き屋根材の軒側ハゼ部３′との嵌合を比較的容易に解除することができるため、他の屋根材を取り外すような余計な作業を要することなしに横葺き屋根材の部分交換が可能となる。
【００３２】
取り外し用治具ｇとしては、治具本体ｇ１と、この治具本体ｇ１につながり棟側ハゼ部２の起立壁２ａの凹部２ａ１にて形成されるスペースへの差し入れを可能とする先端鉤状部ｇ２とを備え、治具本体ｇ１の下端部にゴムの如き弾性部材ｇ３が設置された構造からなるものを用いることができるが、棟側ハゼ部２と水上側に位置する他の横葺き屋根材の軒側ハゼ部３′との嵌合、軒側ハゼ部３と水下側に位置する他の横葺き屋根材との棟側ハゼ部２′との嵌合が解除可能であるならば図示のものに限定されることはない。
【００３３】
本発明にしたがう横葺き屋根材の板材本体１の軒側ハゼ部３の顎部３ｂにおいては、図８に示すように、該顎部３ｂの底壁３ｂ１とこの底壁３ｂ１につながる側壁３ｂ２とのなす角度θを９０°以下とすることが、また、底壁３ｂ１の長さＬを５ｍｍ以上とすることが望ましく、これにより水下側に位置する他の横葺き屋根材の板材本体１′′の棟側ハゼ部２′′との連係が確実になり屋根材同士の連結強度を高めることができる。
【００３４】
また、顎部３ｂの底壁３ｂ１から板材本体１′′の外表面に至るまでの垂直高さｈは、すが漏れ等を回避する観点から１０ｍｍ以上とするのが好ましい。
【００３５】
棟側ハゼ部２の顎部２ｂとこれにつながる側壁２ｃとの境界には、屈曲もしくは湾曲により形成された凹部Ｋを設けておくことが可能であり、この凹部Ｋにより、水上側に位置する他の横葺き屋根材の板材本体１′の軒側ハゼ部３′との嵌合状態でその相互間にエアーポケットを形成することができるため、止水性をさらに高めることが可能になる（図２参照）。
【００３６】
なお、図５（ａ）、（ｂ）ならびに図６に基づく前述した横葺き屋根材の部分交換方法については、本発明に係る部分交換方法の場合、さらに以下に説明するような他の実施形態の採用も可能である。
【００３７】
以下に説明する他の実施形態である部分交換方法とは、特にベース２ｇを介してねじ込まれたビス２ｆが、図５（ｂ）に示すように、簡単には取り外せないとき、即ち、たとえアングルドライバーを使ったとしても、水上側に位置する屋根材の板材本体１′およびそれの軒側ハゼ部３′の撥ね上げが不十分なために、前記ビス２ｆの取り外しができず、結果的に交換すべき横葺き屋根材の撤去が難しいときには、以下に説明するような部分交換方法であってもよい。
【００３８】
かかる他の実施形態に係る部分交換方法とは、要約すると、本来は交換すべき屋根材の棟側ハゼ部２と軒側ハゼ部３を含む板材本体１を全体として一括して取り外して交換すべきところ、その一部分を残留させたまま、即ち、該板材本体１の水下側に当る切断撤去部分１ｔと水上側に当る据置き部分１ｒとに中程の適宜の位置で分け、前者（１ｔ）については、下面に接着させている断熱材４ごと切断して撤去する一方、後者（１ｒ）については古いビス止め部分に当る棟側ハゼ部２の部分を断熱材４ごとそのまま残留させて据置き再利用するという方法である。
【００３９】
以下に、この方法について、図９〜図１１によって説明する。この方法においては、当然のことながら、切断撤去部分１ｔを補完する形態の図９に示すような部分改修用新設屋根材１ｎを予め準備しなければならない。
【００４０】
その部分改修用新設屋根材１ｎは、前記切断撤去部分１ｔだけを形造るものではなく、板材本体１ｎ′の他、棟側ハゼ部２′′′および軒側ハゼ部３′′′を備え、かつ該切断撤去部分１ｔ下面に貼り付けられていた断熱材ｉを補完する一方、据置き部分１ｒ側のものについては干渉することになるので除去した形態のものが準備される。
【００４１】
そして、前記新設屋根材１ｎの特徴的なもう一つの構成は、据置き部分１ｒをそのまま再利用するという観点から棟側ハゼ部２′′の構造が重複すると共に邪魔になるので、該棟側ハゼ部２′′のうちの図９（ｃ）に示す顎部２ｂ、側壁２ｃ、垂下壁２ｄ、天壁２ｅおよびベース２ｇを切断除去したものを用いる。
【００４２】
上記の構成に加えて、本発明では、前記新設屋根材１ｎの棟側ハゼ部２′′′と前述した水上側に位置する既設横葺き屋根材の板材本体１の軒側ハゼ部３とのしっかりとした嵌合を担保するために、図１１（ａ）に示すような、断面形状が箱型（略棟側ハゼ部の上部形状）のカバークランプ材９を用いてハゼ継ぎ嵌合部に介在させることにした。その使用の方法は、図１０、図１１に示すとおりであり、据置き部分１ｒの棟側ハゼ部２′′の上に被せるように装着した後、水上側に位置する屋根材の板材本体１の軒側ハゼ部３をその上から装着して嵌合する。
【００４３】
次に、前記新設屋根材１ｎの部分交換方法の作業手順について説明する。
（１）交換すべき既存の屋根材の板材本体１の水下側の一部を、現場にて断熱材ごと切断して除去し、野地板部分を露出させる。
（２）交換すべき前述した構成に係る図９に示すような新設屋根材１ｎを準備する。
（３）該新設屋根材１ｎについてこれの棟側ハゼ部２′′′の一部をハゼ継ぎ嵌合をしやすいように上部を切断除去する。
（４）水上側既設屋根材の板材本体１の軒側ハゼ部３を前記Ｌ字形状の取り外し用治具などを使って持ち上げる（図９ｂ）。
（５）部分改修用の前記新設屋根材１ｎを施工個所に装着する。その際、既設横葺き屋根材表面と新設屋根材裏面を接着させることもできる。
（６）別部材の前記カバークランプ材９を据置き屋根材１ｒの棟側ハゼ部２′′の上に載せて押し込み乍ら被せて装着したのち、該カバークランプ９の上面から前記棟側ハゼ部２′′に向けて頭部フラットビス１０をねじ込んで、該カバークランプ９を該棟側ハゼ部２′′に固定する。
（７）持ち上げていた前記水上側屋根材の板材本体１の軒側ハゼ部３を元に戻し前記カバークランプ材９の上に嵌合させて装着する。
【００４４】
以上説明した（１）〜（７）の手順を踏むことにより、交換すべき傷んだ横葺き屋根材を新設屋根材１ｎに部分交換するのである。
【００４５】
上述したように、本発明にしたがう横葺き屋根材は、屋根構造体が既に構築された状態にあっても、他の屋根材を取り外すことなしに取り換えたい部分の屋根材のみの取り換えが可能であり、屋根材の部分交換を効率的に行い得る。
【００４６】
本発明の横葺き屋根材は、基本的には屋根構造体を構築するのに用いられることになるが、建築構造物の外壁を構築する外装材として用いることができる。この場合、横葺き屋根材は、板材本体１の棟側ハゼ部２が軒側を向くように、また、軒側ハゼ部３が基礎側に向くように配置して屋根構造体を構築するのと同様の手順で横葺き屋根材を取り付ければよく、必要に応じて外装材の部分交換も行える。
【００４７】
図１２、図１３は、本発明にしたがう横葺き屋根材の他の実施形態を模式的に示した外観斜視図であり、図１４（ａ）（ｂ）は、図１２、１３に示した横葺き屋根材の平面図、正面図を示した図であり、図１５（ａ）〜（ｃ）は、図１４（ａ）のＡ−Ａ断面、Ｂ−Ｂ断面およびＣ−Ｃ断面を拡大して示した図である。
【００４８】
上掲図１２〜１５における符号５は、板材本体１の長さ方向の一方の端縁１ａに設けられた上継手、６は、板材本体１の長さ方向のもう一方の端縁１ｂに設けられた下継手、７は、下継手６の端縁に設けられ、軒方向に沿って隣接配置する別の横葺き屋根材の上継手を重ね合わせる際に、その上継手を載置する折り返し片である。なお、上継手５は、板材本体１に連続的につながるものであり、板材本体１との境界は、屋根材自体に表れることはないが、ここでは、板材本体１と上継手５との境界を破線で表示するものとする。
【００４９】
上継手５は、軒方向に沿って隣接配置する別の横葺き屋根材の下継手に重ね合わさった際に、軒方向に沿って隣接配置する別の横葺き屋根材の板材本体の外表面と面一状態で配置される上継手本体５ａと、該上継手本体５ａの先端部につながり軒方向に沿って隣接配置する別の屋根材の下継手の溝部に位置してその相互間で化粧溝８（図１７、図１８参照）を形成する屈曲縁部５ｂから構成されている。
【００５０】
また、下継手６は、板材本体１の幅方向に沿って伸延する溝部６ａと、該溝部６ａに隣接して設けられ、該板材本体１の幅方向に沿って伸延する細長い陸部６ｂとを交互に配列した凹凸部から構成されている。陸部６ｂの頂面６ｂ１は、板材本体１の外表面よりも低く設定されている。溝部６ａ、陸部６ｂの本数は、止水性の改善向上を図るため等、必要に応じて適宜増減することが可能であり、図示のものに限定されることはない。
【００５１】
図１６は、本発明にしたがう横葺き屋根材の上継手５、下継手６を軒方向に沿って隣接配置する別の横葺き屋根材の下継手６′、上継手５′に重ね合わせる直前の状態を示した外観斜視図であり、図１７は、本発明にしたがう横葺き屋根材の上継手５、下継手６を、軒方向に隣接配置する別の横葺き屋根材の下継手６′、上継手５′に重ね合わせた状態を示した外観斜視図であり、図１８は、屋根材のつなぎ合わせ部分の断面を示した図である。
【００５２】
本発明にしたがう横葺き屋根材は、上継手５の上継手本体５ａに設けられた湾曲係止片５ａ１、鉤状係止片５ａ２を、軒方向に沿って隣接配置する別の横葺き屋根材の下継手６′の凹所６ｃ′、舌片６ｄ′に連係させ、下継手６の凹所６ｃ、舌片６ｄに、軒方向に沿って隣接配置する別の横葺き屋根材の上継手５′の上継手本体５ａに設けられた湾曲係止片５ａ１′、鉤状係止片５ａ２′を連係させることにより屋根材同士を軒方向につなぎ合わせるものであって、この状態では、上継手５の屈曲縁部５ｂが軒方向に沿って隣接配置する別の横葺き屋根材の下継手６′の溝部６ａ′に位置してその齟齬間に化粧溝８が形成される。
【００５３】
化粧溝８は屋根のアクセントとなり得るものであり美観に優れた屋根を葺きあげることができ、また、屋根材の重ね合わせ部のスタート部位には下継手６の陸部６ｂが位置することから該陸部６ｂが雨水等の浸入をブロックして止水性を高めることができる。さらに、屋根の葺きあげ施工時に、施工誤差が生じたとしても化粧溝８の幅寸法の範囲内で施工誤差を微調整することが可能である。
【００５４】
上掲図１２〜図１５に示した横葺き屋根材の、軒乃至棟方向へのつなぎ合わせ、部分交換は、上掲図１〜８に示した横葺き屋根材において説明したところと同じ要領で行うものであって、ここではその説明は省略する。
【００５５】
本発明にしたがう横葺き屋根材としては、棟側ハゼ部２の内側に断熱材４を充填することも可能であり、これにより屋根の断熱性能を高めることができ、また、ハゼ部の強度の改善を図ることができる。とくに、ハゼ部の強度の改善により、屋根の葺きあげ施工時に生じがちであった座屈等の変形を効果的に防止し得る。
【産業上の利用可能性】
【００５６】
本発明によれば、既に構築された屋根構造体であったとしても一部分のみの屋根材の交換が可能であり、かつ、屋根材同士の連結強度の高い横葺き屋根材およびその横葺き屋根材にて構築された屋根材の部分交換方法が提供できる。
【００５７】
また、本発明によれば、屋根の葺きあげ施工時において屋根材の寸法微調整を行いながら止水性の高い屋根の葺きあげを可能とする横葺き屋根材およびその横葺き屋根材にて構築された屋根の部分交換方法が提供できる。
【００５８】
さらに、本発明によれば、化粧溝をアクセントとする美観に優れた屋根の葺きあげが可能な横葺き屋根材およびその横葺き屋根材にて構築された屋根の部分交換方法が提供できる。
【符号の説明】
【００５９】
１      板材本体
１ａ、１ｂ    長さ方向の端縁
１ｃ、１ｄ    幅方向の端縁
２、２′、２′′  棟側ハゼ部
２ａ    起立壁
２ａ１  凹部
２ｂ    顎部
２ｃ    側壁
２ｄ    垂下壁
２ｅ    天壁
２ｅ１  凹所
２ｆ    ビス
２ｇ    ベース
２ｇ１  リブ
３、３′、３′′  軒側ハゼ部
３ａ    傾斜壁
３ｂ    顎部
３ｂ１  底壁
３ｂ２  側壁
３ｃ    舌片
４      断熱材
５      上継手
５ａ    上継手本体
５ｂ    屈曲縁部
６      下継手
６ａ    溝部
６ｂ    陸部
７      折り返し片
８      化粧溝
９      カバークランプ材
１０    頭部フラットビス
【図１】
2020128683.tif 000003
【図２】
2020128683.tif 000004
【図３】
2020128683.tif 000005
【図４】
2020128683.tif 000006
【図５】
2020128683.tif 000007
【図６】
2020128683.tif 000008
【図７】
2020128683.tif 000009
【図８】
2020128683.tif 000010
【図９】
2020128683.tif 000011
【図１０】
2020128683.tif 000012
【図１１】
2020128683.tif 000013
【図１２】
2020128683.tif 000014
【図１３】
2020128683.tif 000015
【図１４】
2020128683.tif 000016
【図１５】
2020128683.tif 000017
【図１６】
2020128683.tif 000018
【図１７】
2020128683.tif 000019
【図１８】
2020128683.tif 000020